(57)【要約】【課題】  カラープロファイルを用いた色変換技術と、カラープロファイル編集技術を用いて、特色印刷物の仕上がりイメージを一般的なカラープリンタにおいて高精度にシミュレーションする。【解決手段】  特色印刷用データの色情報を特色印刷プロファイルとカラープリンタプロファイルに基づき、カラープリンタ用データの色情報に変換する色情報変換機能と、カラーパッチプリント出力機能と、カラーパッチの色情報を取得するカラーパッチ選択機能と、カラーパッチの色情報をカラープリンタプロファイルにフィードバックする色情報フィードバック機能と、フィードバックされた色情報による特色印刷用データの色再現をシミュレーションしたカラープリンタ用データをプリント出力する特色印刷シミュレートカラープリンタ出力手段とを有することを特徴とする、異なるデバイス上で同じ色味を再現する。【選択図】図５
2007019700.tif 000002
【特許請求の範囲】
【請求項１】
異なるデバイス上で同じ色味を再現するためのカラープリンタプロファイル編集装置であって、
特色印刷用データに含まれる文字、画像、図形データの色情報を特色印刷プロファイル及びカラープリンタプロファイルに基づきカラープリンタ用データの色情報に変換する色情報変換手段と、
カラープリンタカラーチャートカラーパッチをプリント出力するカラーパッチプリント出力手段と、
ユーザに前記カラープリンタカラーチャートカラーパッチを選択するよう指示し、選択されたカラーパッチの色情報を取得するカラーパッチ選択手段と、
カラーパッチの色情報をカラープリンタプロファイルにフィードバックする色情報フィードバック手段と、
フィードバックされた色情報による特色印刷用データの色再現をシミュレーションしたカラープリンタ用データをプリント出力する特色印刷シミュレートカラープリンタ出力手段と、
を有することを特徴とするカラープリンタプロファイル編集装置。
【請求項２】
特色印刷カラーチャートを特色印刷する特色印刷カラーチャート特色印刷手段と、
前記特色印刷カラーチャートの各色パッチを測色する特色印刷カラーチャートカラーパッチ測色手段と、
前記特色印刷カラーチャートカラーパッチ測色手段により測色された特色印刷カラーチャートの測色データから特色印刷プロファイルを作成する特色印刷プロファイル作成手段と、
カラープリンタカラーチャートをプリント出力するカラープリンタカラーチャートプリント出力手段と、
カラープリンタカラーチャートの各色パッチを測色する、カラープリンタカラーチャートカラーパッチ測色手段と、
前記カラープリンタカラーチャートカラーパッチ測色手段により測色されたカラープリンタカラーチャートの測色データからカラープリンタプロファイルを作成するカラープリンタプロファイル作成手段と、
を備え、前記カラープリンタプロファイルを編集することを特徴とする、請求項１に記載のカラープリンタプロファイル編集装置。
【請求項３】
異なるデバイス上で同じ色味を再現するためのカラープリンタプロファイル編集システムであって、
特色印刷用データに含まれる文字、画像、図形データの色情報を特色印刷プロファイル及びカラープリンタプロファイルに基づきカラープリンタ用データの色情報に変換する色情報変換機能と、
カラープリンタカラーチャートカラーパッチをプリント出力するカラーパッチプリント出力機能と、
ユーザに前記カラープリンタカラーチャートカラーパッチを選択するよう指示し、選択されたカラーパッチの色情報を取得するカラーパッチ選択機能と、
カラーパッチの色情報をカラープリンタプロファイルにフィードバックする色情報フィードバック機能と、
フィードバックされた色情報による特色印刷用データの色再現をシミュレーションしたカラープリンタ用データをプリント出力する特色印刷シミュレートカラープリンタ出力機能と、
を有することを特徴とするカラープリンタプロファイル編集システム。
【請求項４】
特色印刷カラーチャートを特色印刷する特色印刷カラーチャート特色印刷機能と、
前記特色印刷カラーチャートの各色パッチを測色する特色印刷カラーチャートカラーパッチ測色機能と、
前記特色印刷カラーチャートカラーパッチ測色機能により測色された特色印刷カラーチャートの測色データから特色印刷プロファイルを作成する特色印刷プロファイル作成機能と、
カラープリンタカラーチャートをプリント出力するカラープリンタカラーチャートプリント出力機能と、
カラープリンタカラーチャートの各色パッチを測色する、カラープリンタカラーチャートカラーパッチ測色機能と、
前記カラープリンタカラーチャートカラーパッチ測色機能により測色されたカラープリンタカラーチャートの測色データからカラープリンタプロファイルを作成するカラープリンタプロファイル作成機能と、
を備え、前記カラープリンタプロファイルを編集することを特徴とする、請求項３に記載のカラープリンタプロファイル編集システム。
【請求項５】
異なるデバイス上で同じ色味を再現するためのカラープリンタプロファイル編集方法であって、
特色印刷用データに含まれる文字、画像、図形データの色情報を特色印刷プロファイル及びカラープリンタプロファイルに基づきカラープリンタ用データの色情報に変換する色情報変換工程と、
カラープリンタカラーチャートカラーパッチをプリント出力するカラーパッチプリント出力工程と、
ユーザに前記カラープリンタカラーチャートカラーパッチを選択するよう指示し、選択されたカラーパッチの色情報を取得するカラーパッチ選択工程と、
カラーパッチの色情報をカラープリンタプロファイルにフィードバックする色情報フィードバック工程と、
フィードバックされた色情報による特色印刷用データの色再現をシミュレーションしたカラープリンタ用データをプリント出力する特色印刷シミュレートカラープリンタ出力工程と、
を含むことを特徴とするカラープリンタプロファイル編集方法。
【請求項６】
特色印刷カラーチャートを特色印刷する特色印刷カラーチャート特色印刷工程と、
前記特色印刷カラーチャートの各色パッチを測色する特色印刷カラーチャートカラーパッチ測色工程と、
前記特色印刷カラーチャートカラーパッチ測色工程により測色された特色印刷カラーチャートの測色データから特色印刷プロファイルを作成する特色印刷プロファイル作成工程と、
カラープリンタカラーチャートをプリント出力するカラープリンタカラーチャートプリント出力工程と、
カラープリンタカラーチャートの各色パッチを測色する、カラープリンタカラーチャートカラーパッチ測色工程と、
前記カラープリンタカラーチャートカラーパッチ測色工程により測色されたカラープリンタカラーチャートの測色データからカラープリンタプロファイルを作成するカラープリンタプロファイル作成工程と、
を含み、前記カラープリンタプロファイルを編集することを特徴とする、請求項５に記載のカラープリンタプロファイル編集方法。
【請求項７】
異なるデバイス上で同じ色味を再現するためのカラープリンタプロファイル編集プログラムであって、
特色印刷用データに含まれる文字、画像、図形データの色情報を特色印刷プロファイル及びカラープリンタプロファイルに基づきカラープリンタ用データの色情報に変換する色情報変換処理と、
カラープリンタカラーチャートカラーパッチをプリント出力するカラーパッチプリント出力処理と、
ユーザに前記カラープリンタカラーチャートカラーパッチを選択するよう指示し、選択されたカラーパッチの色情報を取得するカラーパッチ選択処理と、
カラーパッチの色情報をカラープリンタプロファイルにフィードバックする色情報フィードバック処理と、
フィードバックされた色情報による特色印刷用データの色再現をシミュレーションしたカラープリンタ用データをプリント出力する特色印刷シミュレートカラープリンタ出力手段と、
をコンピュータに行わせることを特徴とするカラープリンタプロファイル編集プログラム。
【請求項８】
特色印刷カラーチャートを特色印刷する特色印刷カラーチャート特色印刷処理と、
前記特色印刷カラーチャートの各色パッチを測色する特色印刷カラーチャートカラーパッチ測色処理と、
前記特色印刷カラーチャートカラーパッチ測色処理により測色された特色印刷カラーチャートの測色データから特色印刷プロファイルを作成する特色印刷プロファイル作成処理と、
カラープリンタカラーチャートをプリント出力するカラープリンタカラーチャートプリント出力処理と、
カラープリンタカラーチャートの各色パッチを測色する、カラープリンタカラーチャートカラーパッチ測色処理と、
前記カラープリンタカラーチャートカラーパッチ測色処理により測色されたカラープリンタカラーチャートの測色データからカラープリンタプロファイルを作成するカラープリンタプロファイル作成処理と、
をコンピュータに行わせ、前記カラープリンタプロファイルを編集することを特徴とする、請求項７に記載のカラープリンタプロファイル編集プログラム。
【発明の詳細な説明】
【技術分野】
【０００１】
特色印刷物の仕上がりイメージを一般的なカラープリンタにおいて高精度にシミュレーションするカラープリンタプロファイルの編集に関する。
【背景技術】
【０００２】
印刷物は、仕上がりイメージどおりの色再現を行うために、カラープロファイルやカラーマッチングを用いて製作される。
【０００３】
カラープロファイルとは、デバイスに依存する色の値とデバイスに依存しない色の値を関連付ける表データである。デバイスに依存する色の値とは、例えばＣＭＹＫやＲＧＢであり、デバイスに依存しない色の値とは、例えばＬ＊ａ＊ｂ＊である。
【０００４】
通常の印刷は黄、紅、藍、墨のインキを用いて作成されるが、黄、紅、藍、墨のうち１乃至３色の組み合わせ、あるいは黄、紅、藍、墨以外のインキである特色インキを用いて作成されることがある。
【０００５】
例えばチラシ等の製作においては、コスト削減のためにフルカラー（シアン、マゼンタ、イエロー、ブラックの４色）を用いず、単色や２色、３色のインキで印刷を行うことがある。
【０００６】
たとえば藍と紅、紅と墨、オレンジ色と墨の２色、藍や墨の１色等がある。利用するインキの色の組み合わせについては、シアン、マゼンタ、イエロー、ブラックに限らない。
【０００７】
このように、黄、紅、藍、墨の４色の組み合わせを除き、黄、紅、藍、墨または特色インキを単体または組み合わせで利用して印刷を行うことを特色印刷といい、特色印刷により製作した印刷物を特色印刷物という。
【０００８】
特色印刷には、ＣＭＹＫ４色で再現された画像を絵柄の調子を損なうことなく特色用画像データに変換する技術もある（特許文献１）。このように、画像データを4色から特色に変換する技術はあった。しかし、印刷機で特色印刷される画像の色や調子を再現して4色のカラープリンタでプリント出力することは困難であった。
【０００９】
一般に、特殊印刷は図１に示すような作業工程で行われている。オレンジ色と墨色の2色刷りを例にあげると、次のように行われていた。
【００１０】
Ｓ（ＳＴＥＰ）１；
まず、製版スキャナやデジタルカメラを用いて画像データを作成する。
Ｓ（ＳＴＥＰ）２；
次に、レイアウト編集ソフトにて前記画像データや文字データ等のレイアウト作業を行う。その際、どの色をソフト上のどの版に割り当てるかは自由に決められるが、常識的な手法では青系はシアン版（藍版）、赤系はマゼンタ版（紅版）、黄系はイエロー版（黄版）、黒系はブラック版（墨版）に割り当てられる。ここではソフト上の紅版にオレンジ版を、墨版に墨版を割り当てる。
Ｓ（ＳＴＥＰ）３；
レイアウト等の確認作業としてカラーカンプをカラープリンタより出力する。
Ｓ（ＳＴＥＰ）４；
イメージセッタ、印刷用ポジフィルム（Ｃ，Ｍ，Ｙ，Ｋ版）、校正機を用いてオレンジ、墨インキによる校正刷りの印刷を行う。
Ｓ（ＳＴＥＰ）５；
得意先が校正刷りを見て文字、画像、レイアウト等の内容を確認し、修正指示を行う。
Ｓ（ＳＴＥＰ）２〜５の繰り返し；
レイアウト工程に戻り、修正指示に基づき、修正を行う。
Ｓ（ＳＴＥＰ）６；
印刷用ポジフィルム（Ｃ，Ｍ，Ｙ，Ｋ版）、校正刷りを用いて印刷、加工を行い、印刷物を作成する。
【００１１】
【特許文献１】特開平２０００−１０１８５６号公報
【発明の開示】
【発明が解決しようとする課題】
【００１２】
本発明は、印刷物製作において、その仕上がりイメージとそれを事前に確認する手段としてのカラープリンタによる色再現が大きく異なってしまい、カラープリンタによる色再現では色味の確認ができないという問題を鑑みてなされたものである。
【００１３】
カラープリンタは黄、紅、藍、墨のトナーやインクを用いるのが一般的であり、従来技術では、Ｓ３の工程においてカラーカンプをカラープリンタより出力するにあたり、カラープリンタでの色再現が最終仕上がりイメージと異なる色再現となっていた。従って、色味に関する確認は実質行うことができなかった。
【００１４】
例えばオレンジ色と墨色の２色で印刷物を作成する場合、ソフト上の紅版にオレンジ版、墨版に墨版を割り当ててカラープリンタより出力すると、カラーカンプではオレンジの部分は紅色として、墨色の部分は墨色として印刷されてしまい、最終仕上がりイメージのオレンジ基調とは異なる色再現となってしまう。このように、カラーカンプを確認した時の色調と校正刷りを確認した時の色調が異なってしまうという問題があった。
【００１５】
また、Ｓ２乃至Ｓ５の工程において修正した色味の確認を行う場合も、カラープリンタでは正確に行うことができず、再度校正刷りを出すまでは最終的な色についての確認ができなかった。
【００１６】
更に、従来技術では２色の特色印刷には２色プロファイル、３色の特色印刷には３色プロファイルというように、インキの色数にあったプロファイルを必要としていたため、プロファイルの作成はインキの色数に合わせて行わなければならなかった。
【００１７】
前記問題を解決するために、カラープロファイルを用いた色変換技術と、カラープロファイル編集技術を用いて、特色印刷物の仕上がりイメージを一般的なカラープリンタにおいて高精度にシミュレーションすることを本発明の課題とする。
【課題を解決するための手段】
【００１８】
本発明において前記課題を解決するために、まず請求項１の発明では、
異なるデバイス上で同じ色味を再現するためのカラープリンタプロファイル編集装置であって、
特色印刷用データに含まれる文字、画像、図形データの色情報を特色印刷プロファイル及びカラープリンタプロファイルに基づきカラープリンタ用データの色情報に変換する色情報変換手段と、
カラープリンタカラーチャートカラーパッチをプリント出力するカラーパッチプリント出力手段と、
ユーザに前記カラープリンタカラーチャートカラーパッチを選択するよう指示し、選択されたカラーパッチの色情報を取得するカラーパッチ選択手段と、
カラーパッチの色情報をカラープリンタプロファイルにフィードバックする色情報フィードバック手段と、
フィードバックされた色情報による特色印刷用データの色再現をシミュレーションしたカラープリンタ用データをプリント出力する特色印刷シミュレートカラープリンタ出力手段と、
を有することを特徴とするカラープリンタプロファイル編集装置としたものである。
【００１９】
また請求項２の発明では、
特色印刷カラーチャートを特色印刷する特色印刷カラーチャート特色印刷手段と、
前記特色印刷カラーチャートの各色パッチを測色する特色印刷カラーチャートカラーパッチ測色手段と、
前記特色印刷カラーチャートカラーパッチ測色機能により測色された特色印刷カラーチャートの測色データから特色印刷プロファイルを作成する特色印刷プロファイル作成手段と、
カラープリンタカラーチャートをプリント出力するカラープリンタカラーチャートプリント出力手段と、
カラープリンタカラーチャートの各色パッチを測色する、カラープリンタカラーチャートカラーパッチ測色手段と、
前記カラープリンタカラーチャートカラーパッチ測色手段により測色されたカラープリンタカラーチャートの測色データからカラープリンタプロファイルを作成するカラープリンタプロファイル作成手段と、
を備え、前記カラープリンタプロファイルを編集することを特徴とする、請求項１に記載のカラープリンタプロファイル編集装置としたものである。
【００２０】
また請求項３の発明では、
異なるデバイス上で同じ色味を再現するためのカラープリンタプロファイル編集システムであって、
特色印刷用データに含まれる文字、画像、図形データの色情報を特色印刷プロファイル及びカラープリンタプロファイルに基づきカラープリンタ用データの色情報に変換する色情報変換機能と、
カラープリンタカラーチャートカラーパッチをプリント出力するカラーパッチプリント出力機能と、
ユーザに前記カラープリンタカラーチャートカラーパッチを選択するよう指示し、選択されたカラーパッチの色情報を取得するカラーパッチ選択機能と、
カラーパッチの色情報をカラープリンタプロファイルにフィードバックする色情報フィードバック機能と、
フィードバックされた色情報による特色印刷用データの色再現をシミュレーションしたカラープリンタ用データをプリント出力する特色印刷シミュレートカラープリンタ出力機能と、
を有することを特徴とするカラープリンタプロファイル編集システムとしたものである。
【００２１】
また請求項４の発明では、
特色印刷カラーチャートを特色印刷する特色印刷カラーチャート特色印刷機能と、
前記特色印刷カラーチャートの各色パッチを測色する特色印刷カラーチャートカラーパッチ測色機能と、
前記特色印刷カラーチャートカラーパッチ測色機能により測色された特色印刷カラーチャートの測色データから特色印刷プロファイルを作成する特色印刷プロファイル作成機能と、
カラープリンタカラーチャートをプリント出力するカラープリンタカラーチャートプリント出力機能と、
カラープリンタカラーチャートの各色パッチを測色する、カラープリンタカラーチャートカラーパッチ測色機能と、
前記カラープリンタカラーチャートカラーパッチ測色機能により測色されたカラープリンタカラーチャートの測色データからカラープリンタプロファイルを作成するカラープリンタプロファイル作成機能と、
を備え、前記カラープリンタプロファイルを編集することを特徴とする、請求項３に記載のカラープリンタプロファイル編集システムとしたものである。
【００２２】
また請求項５の発明では、
異なるデバイス上で同じ色味を再現するためのカラープリンタプロファイル編集方法であって、
特色印刷用データに含まれる文字、画像、図形データの色情報を特色印刷プロファイル及びカラープリンタプロファイルに基づきカラープリンタ用データの色情報に変換する色情報変換工程と、
カラープリンタカラーチャートカラーパッチをプリント出力するカラーパッチプリント出力工程と、
ユーザに前記カラープリンタカラーチャートカラーパッチを選択するよう指示し、選択されたカラーパッチの色情報を取得するカラーパッチ選択工程と、
カラーパッチの色情報をカラープリンタプロファイルにフィードバックする色情報フィードバック工程と、
フィードバックされた色情報による特色印刷用データの色再現をシミュレーションしたカラープリンタ用データをプリント出力する特色印刷シミュレートカラープリンタ出力工程と、
を含むことを特徴とするカラープリンタプロファイル編集方法としたものである。
【００２３】
また請求項６の発明では、
特色印刷カラーチャートを特色印刷する特色印刷カラーチャート特色印刷工程と、
前記特色印刷カラーチャートの各色パッチを測色する特色印刷カラーチャートカラーパッチ測色工程と、
前記特色印刷カラーチャートカラーパッチ測色工程により測色された特色印刷カラーチャートの測色データから特色印刷プロファイルを作成する特色印刷プロファイル作成工程と、
カラープリンタカラーチャートをプリント出力するカラープリンタカラーチャートプリント出力工程と、
カラープリンタカラーチャートの各色パッチを測色する、カラープリンタカラーチャートカラーパッチ測色工程と、
前記カラープリンタカラーチャートカラーパッチ測色工程により測色されたカラープリンタカラーチャートの測色データからカラープリンタプロファイルを作成するカラープリンタプロファイル作成工程と、
を含み、前記カラープリンタプロファイルを編集することを特徴とする、請求項５に記載のカラープリンタプロファイル編集方法としたものである。
【００２４】
また請求項７の発明では、
異なるデバイス上で同じ色味を再現するためのカラープリンタプロファイル編集プログラムであって、
特色印刷用データに含まれる文字、画像、図形データの色情報を特色印刷プロファイル及びカラープリンタプロファイルに基づきカラープリンタ用データの色情報に変換する色情報変換処理と、
カラープリンタカラーチャートカラーパッチをプリント出力するカラーパッチプリント出力処理と、
ユーザに前記カラープリンタカラーチャートカラーパッチを選択するよう指示し、選択されたカラーパッチの色情報を取得するカラーパッチ選択処理と、
カラーパッチの色情報をカラープリンタプロファイルにフィードバックする色情報フィードバック処理と、
フィードバックされた色情報による特色印刷用データの色再現をシミュレーションしたカラープリンタ用データをプリント出力する特色印刷シミュレートカラープリンタ出力処理と、
をコンピュータに行わせることを特徴とするカラープリンタプロファイル編集プログラムとしたものである。
【００２５】
また請求項８の発明では、
特色印刷カラーチャートを特色印刷する特色印刷カラーチャート特色印刷処理と、
前記特色印刷カラーチャートの各色パッチを測色する特色印刷カラーチャートカラーパッチ測色処理と、
前記特色印刷カラーチャートカラーパッチ測色処理により測色された特色印刷カラーチャートの測色データから特色印刷プロファイルを作成する特色印刷プロファイル作成処理と、
カラープリンタカラーチャートをプリント出力するカラープリンタカラーチャートプリント出力処理と、
カラープリンタカラーチャートの各色パッチを測色する、カラープリンタカラーチャートカラーパッチ測色処理と、
前記カラープリンタカラーチャートカラーパッチ測色処理により測色されたカラープリンタカラーチャートの測色データからカラープリンタプロファイルを作成するカラープリンタプロファイル作成処理と、
をコンピュータに行わせ、前記カラープリンタプロファイルを編集することを特徴とする、請求項７に記載のカラープリンタプロファイル編集プログラムとしたものである。
【発明の効果】
【００２６】
本発明により、従来の４色プロファイル作成ツールを利用して、１色乃至３色の特色印刷のプロファイルを作成することが可能となる。更に、測色データより作り出したプロファイルについて、プロファイル編集を加えることにより、目視的に更にカラーマッチング精度の高いカラープリンタプロファイルを作り出すことが可能となる。
【００２７】
本発明によって実現する環境によって、特色印刷の仕上がりイメージ（色再現）を市販のカラープリンタでシミュレーションすることが可能となる。
【００２８】
これまで、特色印刷による校正刷りができてこないと最終の印刷の色味を確認できなかったが、本発明を印刷物作成のレイアウト編集工程Ｓ２に導入することにより、レイアウト編集工程Ｓ２にて作成されるカラープリント物において印刷の色再現を確認することができる。そのため、工程を圧縮することが可能となり、印刷物の納期も短縮することができる。
【発明を実施するための最良の形態】
【００２９】
特殊印刷プロファイル及びカラープリンタプロファイルを用いて、異なるデバイス上で同じ色味を再現するための本発明の構成を図５に示す。本実施形態において、異なるデバイスとは、例えば特色印刷機とカラープリンタのことである。カラープリンタは、インクジエツトプリンタ、バブルジェット（登録商標）プリンタ、熱転写プリンタ、或いは、ドツトプリンタ等であっても良い。
【００３０】
前記カラーシミュレーションシステムは、特色印刷プロファイル作成手段１０１、カラープリンタプロファイル作成手段２０１、カラープリンタプロファイル編集手段３０１、色情報変換手段４０１、及び特色印刷シミュレートカラープリンタ出力手段５０１を備えている。
【００３１】
特色印刷プロファイル作成手段１０１及びカラープリンタプロファイル作成手段２０１は、測色データをもとにプロファイルを作成する機能を備えている。
【００３２】
特色印刷プロファイル作成手段１０１は、特色印刷カラーチャート特色印刷手段１０２と特色印刷カラーチャートカラーパッチ測色手段１０３とを含み、特色印刷プロファイルを作成する機能を備えている。
【００３３】
カラープリンタプロファイル作成手段２０１は、カラープリンタカラーチャートプリント出力手段２０２とカラープリンタカラーチャートカラーパッチ測色手段２０３とを含み、カラープリンタプロファイルを作成する機能を備えている。
【００３４】
特色印刷カラーチャートカラーパッチ測色手段１０３及びカラープリンタカラーチャートカラーパッチ測色手段２０３は、測色機でカラーパッチの色を測り、測色データを得る機能を備えている。
【００３５】
カラープリンタプロファイル編集手段３０１は、カラーパッチプリント出力手段３０２とカラーパッチ選択手段３０３と色情報フィードバック手段３０４とを含み、カラープリンタプロファイルを編集する機能を備えている。
【００３６】
カラーパッチ選択手段３０３は、目視による最適な色の選択を指示し、選択された特色印刷の色と近いカラープリンタ上の色情報を取得する機能を備えている。
【００３７】
色情報フィードバック手段３０４はカラーパッチ選択手段３０３で指示された修正測色データ等の内容を反映してカラープロファイルを修正する機能を備えている。
【００３８】
色情報変換手段４０１は、特色印刷プロファイル、カラープリンタプロファイルを用いて、文字、画像、図形データ等の色情報を含む特色印刷用データをカラープリンタ用データに変換する機能を備えた手段である。
【００３９】
特色印刷シミュレートカラープリンタ出力手段５０１は、特色印刷用データの色再現をシミュレーションしたカラープリンタ用データをプリント出力する機能を備えている。
【００４０】
特色印刷用データ及びカラープリンタ用データとは、実際のチラシやカタログ等のレイアウトデータのことである。
【００４１】
測色データ及び修正測色データは一種の色情報であり、カラーチャートカラーパッチ測色手段で測色された色情報を測色データ、色情報フィードバック手段３０４によりフィードバックされる色情報を修正測色データという。
【００４２】
本実施形態において、特色印刷カラーチャート特色印刷手段１０２とは特色印刷を行う印刷機のことを指し、カラープリンタカラーチャートプリント出力手段２０２、カラーパッチプリント出力手段３０２、及び特色印刷シミュレートカラープリンタ出力手段５０１とは、カラープリンタのことを指す。
【００４３】
また、特色印刷カラーチャートカラーパッチ測色手段１０３及びカラープリンタカラーチャートカラーパッチ測色手段２０３は、同一の測色手段であるとみなすことも可能である。
【００４４】
例えば特色印刷プロファイル作成手段１０１、カラープリンタカラープロファイル作成手段２０１、カラープリンタプロファイル編集手段３０１、カラーパッチ選択手段３０３、色情報フィードバック手段３０４はコンピュータ上のプログラムであり、カラープリンタプロファイル編集手段３０１は、カラープリンタプロファイル編集手段３０１は、特色印刷、カラープリンタプロファイルを用いて特色印刷用の画像データをカラープリンタ出力用の画像データに変換するためのコンピュータ上のプログラムを含む。
【００４５】
次に、本発明の実施方法の一例について、主に図５を参照して説明する。
プロファイル作成工程；
下記に説明するＳ２１乃至Ｓ２２を含む特色印刷プロファイル作成工程によって特色印刷プロファイルが作成され、Ｓ２３乃至Ｓ２４を含むカラープリンタプロファイル作成工程によってカラープリンタプロファイルが作成される。図４に特色印刷プロファイル及びカラープリンタプロファイルを示す。
【００４６】
Ｓ（ＳＴＥＰ）２１；特色印刷カラーチャート特色印刷工程
特色印刷カラーチャート特色印刷手段１０２にて、特色印刷物のカラープロファイルを作成するためのカラーチャート（以下、特色印刷カラーチャートという）を特色印刷する。特色印刷カラーチャートの例を図２に示す。
Ｓ（ＳＴＥＰ）２２；特色印刷カラーチャートカラーパッチ測色工程
特色印刷カラーチャートカラーパッチ測色手段１０３にて、特色印刷カラーチャートの各色パッチを測色し、特色印刷プロファイルを作成する。カラーパッチはＣＭＹＫの離散的数値の組み合わせで構成される色パッチ群である。特色印刷プロファイル作成用カラーチャートのカラーパッチの場合は、特色印刷に用いられるインキが割り当てられる版のみに有効な値が入った色パッチ群となる。オレンジと墨の２色刷りを例にとり、オレンジを紅版に、墨を墨版に割り当てるとすると、色パッチ群の有効な値は紅版と墨版のみである。
Ｓ（ＳＴＥＰ）２３；カラープリンタカラーチャートプリント出力工程
カラープリンタカラーチャートプリント出力手段２０２にて、カラープリンタプロファイルを作成するためのカラーチャート（以下、カラープリンタカラーチャートという）をプリント出力する。
Ｓ（ＳＴＥＰ）２４；カラープリンタカラーチャートカラーパッチ測色工程
カラープリンタカラーチャートカラーパッチ測色手段２０３にて、カラープリンタカラーチャートの各色パッチを測色し、カラープリンタプロファイルを作成する。
特色印刷カラーチャートのカラーシミュレーション工程；
Ｓ２５乃至Ｓ３０にカラーシミュレーションの各工程を示す。
Ｓ（ＳＴＥＰ）２５；
色情報変換手段４０１にて、特色印刷用データをもとに、特色印刷プロファイルとカラープリンタプロファイルとを用いて、特色印刷物の色再現をカラープリンタでシミュレーションするためのカラープリンタ用データを作成する。
Ｓ（ＳＴＥＰ）２６；
特色印刷シミュレートカラープリンタ出力手段５０１にて、特色印刷用データの色再現をシミュレーションしたカラープリンタ用データをプリント出力する。
【００４７】
カラープリンタプロファイル編集工程；
カラープリンタプロファイルの編集は、特色印刷カラーチャートとカラープリンタカラーチャートの該当するカラーパッチについて、そのカラープリンタによるカラーマッチング精度を更に向上させるために行う。初期のカラープリンタプロファイルによって、シミュレーションしたカラーパッチに類似するカラーパッチ群を更にプリント出力し、目視にてよりオリジナルの特色印刷カラーパッチに近い色を選定することで、カラーマッチング精度が向上する。初期のカラープリンタプロファイルとは、カラープリンタカラーチャートカラーパッチ測色工程において測色された測色データを正しいものとして作成したカラープリンタプロファイルである。
【００４８】
編集の工程は、Ｓ２７乃至Ｓ２８のとおりである。
Ｓ（ＳＴＥＰ）２７；カラーパッチ選択工程
カラーパッチ選択手段３０３にて、カラーマッチングさせたいカラープリンタのカラーパッチについて、現状、測色データに基づき再現されている色を中心として、色相、彩度、明度に少しずつ異なる変化をつけ、カラーパッチプリント出力手段３０２にて複数プリント出力する。出力するカラーパッチの数については、アプリケーションによってどれくらいのバリーエーション数を出力するのか、また隣り合うパッチはどれくらいの色の違い（色差）で出力するのかをユーザが指定することにより、設定可能である。一般的には、精度を求めるならば、細かい色違いで多数のカラーパッチを出力することになる。
そして、プリント出力した複数のカラーパッチ群を目視し、該当する特色印刷カラーチャートのカラーパッチの色味に最も近い色に見えるカラーパッチを選択するようユーザに指示を出し、ユーザが選択したカラーパッチのＣＭＹＫ情報を取得する。
Ｓ（ＳＴＥＰ）２８；色情報フィードバック工程
色情報フィードバック手段３０４にて、Ｓ２７でユーザが選択したカラーパッチのＣＭＹＫ情報をカラープリンタプロファイル作成手段２０１にフィードバックし、カラープリンタプロファイルを再生成する。Ｓ２７でユーザが選択したカラーパッチのＣＭＹＫ情報とは、図５の修正測色データに該当する。
Ｓ（ＳＴＥＰ）２９；特色印刷シミュレートカラープリンタ出力工程
特色印刷シミュレートカラープリンタ出力手段５０１にて、カラープリンタプロファイル編集工程によって編集を加えたカラープリンタプロファイルと特色印刷プロファイルを用いて、特色印刷の色再現をシミュレートするカラープリンタ出力を行うことにより、高精度にカラーシミュレーションされたカラープリンタ出力物を得る。
【００４９】
前記方法により、カラープリンタでの色再現は最終仕上がりイメージの色再現をシミュレートできるようになる。また、修正した色味の確認もカラープリンタで行うことが可能となる。
【実施例】
【００５０】
一実施例として、オレンジ色と墨色の２色を用いて特色印刷を行う場合について説明する。
【００５１】
レイアウト編集ソフトにて画像データのレイアウト作業を行う際に、ソフト上の紅版にオレンジ版、墨版に墨版を割り当てると（Ｓ２）、特色印刷カラーチャートは図２に、カラープリンタカラーチャートは図３に示すように作成される。
【００５２】
特色印刷物のあるパッチ（以下カラーパッチ１という）（Ｃ＝０、Ｍ＝５０、Ｙ＝０、Ｋ＝０）の色をカラープリンタで再現する場合を例にとり、カラープリンタプロファイル編集工程に記載のカラープリンタプロファイルの編集について、図４にしたがって説明する。
【００５３】
まずＳ４１乃至Ｓ４３によって特色印刷の色味をカラープリンタで再現するためのＣＭＹＫ値（測色データ）を算出する。
Ｓ（ＳＴＥＰ）４１；
特色印刷プロファイルから、ＣＭＹＫ値がＣ＝０、Ｍ＝５０、Ｙ＝０、Ｋ＝０に該当するＬ＊ａ＊ｂ＊値を抽出する。Ｌ＊ａ＊ｂ＊値は、Ｌ＝６３、ａ＝２、ｂ＝４となっている。
Ｓ（ＳＴＥＰ）４２；
カラープリンタプロファイルから、特色印刷プロファイルのＳ４２で該当したＬ＊ａ＊ｂ＊値（Ｌ＝６３、ａ＝２、ｂ＝４）を抽出する。
Ｓ（ＳＴＥＰ）４３；
カラープリンタプロファイルにおいて、Ｌ＊ａ＊ｂ＊値がＬ＝６３、ａ＝２、ｂ＝４に該当するＣＭＹＫ値を抽出する。カラープリンタプロファイルのＣＭＹＫ値はＣ＝０、Ｍ＝３７、Ｙ＝４０、Ｋ＝０となる。
特色印刷プロファイルでＣＭＹＫ値がＣ＝０、Ｍ＝５０、Ｙ＝０、Ｋ＝０であるパッチをカラープリンタでシミュレーションすると、Ｓ４１乃至Ｓ４３で算出されたＣＭＹＫ値を持つカラーパッチ（以下カラーパッチ２という）が再現される。
Ｓ（ＳＴＥＰ）４４；
カラープリンタプロファイル編集工程によって、カラーパッチ２の類似色を更にカラープリントにて出力する。
Ｓ（ＳＴＥＰ）４５；
ユーザは指示に基づき、目視にてＳ４４で出力されたカラーパッチ２の類似色を確認し、最も特色印刷カラーパッチの色味に近いカラーパッチ（以下カラーパッチ３という）を選択する。カラーパッチ選択手段は、選択されたカラーパッチ３のＣＭＹＫ情報を取得する。
Ｓ（ＳＴＥＰ）４６；
カラーパッチ３のＣＭＹＫ値をカラープリンタプロファイル作成手段２０１にフィードバックしてカラープリンタプロファイルを再生成する。
最後に、特色印刷プロファイルと再生成されたカラープリンタプロファイルを用いて、特色印刷用データの色再現をシミュレートするカラープリンタ用データを色情報変換手段４０１によって生成し、特色印刷シミュレートカラープリンタ出力手段５０１によってプリント出力を行う。
【図面の簡単な説明】
【００５４】
【図１】従来の特色印刷の作業工程
【図２】特色印刷プロファイル作成用カラーチャート
【図３】カラープリンタプロファイル作成用カラーチャート
【図４】カラープリンタプロファイル編集工程
【図５】異なるデバイス上で同じ色味を再現するためのカラーシミュレーションシステム
【符号の説明】
【００５５】
１      カラーパッチ１（特色印刷のあるパッチ）
２      カラーパッチ２（カラープリンタでシミュレーションしたパッチ）
３      カラーパッチ３（目視により選択されたパッチ）
１０１  特色印刷プロファイル作成手段
１０２  特色印刷カラーチャート特色印刷手段
１０３  特色印刷カラーチャートカラーパッチ測色手段
２０１  カラープリンタプロファイル作成手段
２０２  カラープリンタカラーチャートプリント出力手段
２０３  カラープリンタカラーチャートカラーパッチ測色手段
３０１  カラープリンタプロファイル編集手段
３０２  カラーパッチプリント出力手段
３０３  カラーパッチ選択手段
３０４  色情報フィードバック手段
４０１  色情報変換手段
５０１  特色印刷シミュレートカラープリンタ出力手段
【図１】
2007019700.tif 000003
【図２】
2007019700.tif 000004
【図３】
2007019700.tif 000005
【図４】
2007019700.tif 000006
【図５】
2007019700.tif 000007